(57)【要約】【課題】遠くからでも境目や段差高低確認等の目視が出来て危険な場所を安全に通行出来又災害等で暗闇になっても安全な場所への誘導が出来る表示案内の提供。【解決手段】付設表面よりも凸にして遠くからでも目視しやすい様な立体にした為に危険を回避出来、さらに凸部を蓄光を含有させた立体物質にすることにより災害等に突然の暗闇が襲ってもこれを目視出来る為に誘導として機能し安全に通行出来る。【選択図】  図１
0003121268.tif 000002
【実用新案登録請求の範囲】
【請求項１】
構造物（橋、トンネル、港湾を含む）の表面において、表示案内本体は蓄光材を含有した立体物質であり、これを付設する事で取り付け面と同じ高さで直視しても視野に入り、この立体表示案内本体は遠方からも認知出来る為に安全な歩行への誘導を促すことが出来ることを特徴とする蓄光立体表示案内。
【請求項２】
構造物（橋、トンネル、港湾を含む）の表面において、表示案内本体は蓄光材を含有した立体物質であり、底辺の幅を３０ミリ以上としこれを付設する事で取り付け面と同じ高さで直視しても視野に入り、この立体表示案内本体は遠方からも認知出来る為に安全な歩行への誘導を促すことが出来ることを特徴とする蓄光立体表示案内。
【請求項３】
構造物（橋、トンネル、港湾を含む）の表面において、表示案内本体は蓄光材を含有した立体物質であり、材質は耐久性の高いセラミックスで出来ており、これを付設する事で取り付け面と同じ高さで直視しても視野に入り、この立体表示案内本体は遠方からも認知出来る為に安全な歩行への誘導を促すことが出来ることを特徴とする蓄光立体表示案内。
【請求項４】
構造物（橋、トンネル、港湾を含む）の表面において、表示案内本体は蓄光材を含有した立体物質であり、材質は耐久性の高いセラミックスで、顔料などを加えて着色した蓄光セラミックスを付設する事で取り付け面と同じ高さで直視しても視野に入り、この立体表示案内本体は遠方からも認知出来る為に安全な歩行への誘導を促すことが出来ることを特徴とする蓄光立体表示案内。
【請求項５】
構造物（橋、トンネル、港湾を含む）の表面において、表示案内本体は蓄光材を含有した立体物質であり、形状は球体や半球体の球面でできておりこれを付設する事で取り付け面と同じ高さで直視しても視野に入り、この立体表示案内本体は遠方からも認知出来る為に安全な歩行への誘導を促すことが出来ることを特徴とする蓄光立体表示案内。
【請求項６】
構造物（橋、トンネル、港湾を含む）の表面において、表示案内本体は蓄光材を含有した立体物質であり、この立体の下面中心部よりボルトを取り付けて人が歩く歩道や地下道又道路と歩道の間のブロック等の取り付け面の表面の所要箇所にボルトがはまる位の穴を開けて接着剤等で固定する方法で付設する事で取り付け面と同じ高さで直視しても視野に入り、この立体表示案内本体は遠方からも認知出来る為に安全な歩行への誘導を促すことが出来ることを特徴とする蓄光立
体表示案内。
【請求項７】
構造物（橋、トンネル、港湾を含む）の表面において、表示案内本体は蓄光材を含有した立体物質であり、この立体はひとつのかたまりでありこのかたまりのひとつひとつを人が歩く歩道や地下道又道路と歩道の間のブロック等の表面の材質がタイルまたは石材、コンクリートや金属等の表面の所要箇所にこれを付設する事で取り付け面と同じ高さで直視しても視野に入り、この立体表示案内本体は遠方からも認知出来る為に安全な歩行への誘導を促すことが出来ることを特徴とする蓄光立体表示案内。
【考案の詳細な説明】
【技術分野】
【０００１】
本考案は、蓄光を含有した材料を立体物質とし取り付け表面に付設させる為の蓄光立体表示案内に関するものである。
【背景技術】
【０００２】
歩道や階段、駅のプラットホーム、地下道、道路と歩道の間のブロック等に注意をうながす看板や案内板又境目に変化をつけて危険な箇所がわかり目視出来る様にしてある。
しかし、現状は危険を防止するはずの縁石ブロック等でさえ周りの色彩と同調して認知しにくいのが実状である。
【０００３】
歩道や階段、駅のプラットホーム、地下道、道路と歩道の間のブロック等において位置や通路の確認がしにくかったり、急な段差や高低差が認知出来なかったり、気が付きにくい境目などがあったりと目視出来ないと危険な場所がたくさんある。
【０００４】
この改善策として太陽電池を使用した自発光式鋲がある。利点としては太陽電池の為に電源がなくても夜間の発光ができる。しかしこの鋲は歩行者というより夜間の車両通行の安全に資している鋲なので一方方向からしか見えない為発光している部分と違う位置に居た場合は目視しにくい。上面は太陽電池部分である為目視できる角度はかなり制限される。
【特許文献１】特許第３０３１７３４号
【０００５】
このように従来の歩道や駅のプラットホーム、地下道、道路と歩道の間のブロック等には上記のごとき問題がある。その為にそれらの取り付ける箇所の表面に蓄光を含有した立体物質を付設することで、災害時の誘導を機能させることが出来るだけでなく、立体である為に遠くから認知し確認出来る為、暗闇の中で安全な歩行が確保出来る様にしたのが蓄光立体表示案内である。
この蓄光立体表示案内は蓄光を含有した立体物質を歩道や階段、歩道と道路の間等のブロック等の表面に取り付けした表示案内である。
【０００６】
したがって、立体である為に目視線が目の高さであっても凸面である部分を確認することが容易に出来、危険な場所の位置確認が出来やすい為に安全な方向への誘導が出来る。
【０００７】
立体である為、球体、円錐、角柱、半球体、平板等、適材適所で形をきめられる。また、立体の矢印や立体のロゴ等の立体表示案内が可能である。
【考案の開示】
【考案が解決しようとする課題】
【０００８】
解決しようとする問題点は、危険な場所や境目、高低差の確認が離れていると、さらに目視確認しにくく次の動作を考えながら行動出来ない為に危険性から回避出来にくい点である。
【課題を解決するための手段】
【０００９】
本考案の蓄光立体表示案内は蓄光を含有した立体物質である為に、災害が発生して暗闇になっても、付設場所よりも凸であるので目視確認しやすい為に安全な通行が確保出来る。
【考案の効果】
【００１０】
災害等で暗闇になっても、この蓄光立体表示案内は太陽や電気等の光りを立体の凸部で外部空間にはみだしている為にさまざまな角度から蓄光出来、表面が設置表面と同じ高さで取り付けてあるものよりも輝度は高く残光時間は長くなる為に人の気を引きやすく認知しやすくなる。立体部分の凸部分は遠くからでも認知しやすい為に危険な境目や高低段差等を早期に発見でき安全に歩行することが出来る利点がある。
【００１１】
立体物質の凸形状には角錐、逆錐形、四角形、球形、筒形等または不規則な形状のものが採用でき、これによって接触面積が縮小したり拡大しても、下方面にボルトの数を減らしたり増やしたり増減出来るので付設面の接着が本体をしっかりと固定させる事が出来る。
【考案を実施するための最良の形態】
【００１２】
取り付け面より立体の凸部で外部空間にはみだしていること。
【実施例１】
【００１３】
図1は、本考案に係る蓄光立体表示案内の実施例の断面図である。
【００１４】
（a）は蓄光立体表示案内を示す断面図であり、下面中央には凹部（e）が形成されている。この中に（b）のボルトをはめ込んで歩道や駅のプラットホーム、地下道、道路と歩道の間のブロック等の表面（c）に凹部（f）の穴を開けて（d）の部分に接着材を挿入して、（a）にはめ込んだ（b）のボルトの出ている部分を凹部（f）にはめ込み圧着し付設する。
この時（a）の下方面と付設する表面（c）の間（g）にも接着材を付けると一層強固に接着出来る。
【図面の簡単な説明】
【００１５】
【図１】蓄光立体表示案内の実施方法を示した説明図である。（実施例1）
【符号の説明】
【００１６】
a    蓄光立体表示案内本体
b    ボルト
c    付設表面
d    接着剤
e    蓄光立体表示案内本体に設けた凹部
f    付設表面に設けた凹部
g    蓄光立体表示案内本体の下面と付設表面の間
【図１】
0003121268.tif 000003
【手続補正書】
【提出日】平成18年2月23日(2006.2.23)
【手続補正１】
【補正対象書類名】実用新案登録請求の範囲
【補正対象項目名】全文
【補正方法】変更
【補正の内容】
【実用新案登録請求の範囲】
【請求項１】
橋・トンネル・港湾その他の構造物に用いられ表示案内装置であって、蓄光材を含有した立体状の表示案内物体と、この物体を前記構造物の表面に突設状態で取り付け、遠方からの視認を可能にする取り付け手段とを有することを特徴とする蓄光立体表示案内装置。
【請求項２】
橋・トンネル・港湾その他の構造物に用いられ表示案内装置であって、底辺の幅を３０ミリ以上とした蓄光材を含有した立体状の表示案内物体と、この物体を前記構造物の表面に突設状態で取り付け、遠方からの視認を可能にする取り付け手段とを有することを特徴とする蓄光立体表示案内装置。
【請求項３】
橋・トンネル・港湾その他の構造物に用いられ表示案内装置であって、材質は耐久性の高いセラミックスで出来ており、蓄光材を含有した立体状の表示案内物体と、この物体を前記構造物の表面に突設状態で取り付け、遠方からの視認を可能にする取り付け手段とを有することを特徴とする蓄光立体表示案内装置。
【請求項４】
橋・トンネル・港湾その他の構造物に用いられ表示案内装置であって、材質は耐久性の高いセラミックスで、顔料などを加えて着色した蓄光セラミックスを含有した立体状の表示案内物体と、この物体を前記構造物の表面に突設状態で取り付け、遠方からの視認を可能にする取り付け手段とを有することを特徴とする蓄光立体表示案内装置。
【請求項５】
橋・トンネル・港湾その他の構造物に用いられ表示案内装置であって、形状は球体や半球体の球面でできており蓄光材を含有した立体状の表示案内物体と、この物体を前記構造物の表面に突設状態で取り付け、遠方からの視認を可能にする取り付け手段とを有することを特徴とする蓄光立体表示案内装置。
【請求項６】
橋・トンネル・港湾その他の構造物に用いられ表示案内装置であって、蓄光材を含有した立体状の表示案内物体と、この物体の下面中心部よりボルトを取り付けて取り付け面の表面の所要箇所にボルトがはまる位の穴を開けて接着剤等で固定する方法で前記構造物の表面に突設状態で取り付け、遠方からの視認を可能にする取り付け手段とを有することを特徴とする蓄光立体表示案内装置。
【請求項７】
橋・トンネル・港湾その他の構造物に用いられ表示案内装置であって、蓄光材を含有した立体状の表示案内物体と、この物体はひとつのかたまりであり前記構造物の表面に突設状態で取り付け、遠方からの視認を可能にする取り付け手段とを有することを特徴とする蓄光立体表示案内装置。